(57)【要約】【課題】電気機器と分岐ブレーカとの接続関係の判別における利便性の向上を図る。【解決手段】第２時系列データ取得部１０５は、第１判別部１０４により第１電気機器が第１分岐ブレーカに接続されていると判別された場合、第２期間において第１電流値測定部１０２により測定された値の時系列データを取得する。第３時系列データ取得部１０７は、第２期間と重複する第３期間において第２電流値測定部１０６により測定された値の時系列データを取得する。第２判別部１０８は、第２時系列データ取得部１０５により取得された時系列データと第３時系列データ取得部１０７により取得された時系列データとに基づいて、第１電気機器以外の電気機器が第１分岐ブレーカに接続されているか否かを判別する。【選択図】図７
2016075492.tif 000002
【特許請求の範囲】
【請求項１】
少なくとも１つの分岐ブレーカと少なくとも１つの電気機器との接続関係を判別する接続関係判別システムであって、
予め定められた電流パターンで交流電力を消費する負荷装置と、
前記少なくとも１つの分岐ブレーカのうちの第１分岐ブレーカを流れる電流の値を測定する第１電流値測定部と、
前記負荷装置が前記少なくとも１つの電気機器のうちの第１電気機器と並列に前記第１電気機器に交流電力を供給する第１電線に接続されている第１期間において前記第１電流値測定部により測定された値の時系列データを取得する第１時系列データ取得部と、
前記第１時系列データ取得部により取得された時系列データと前記予め定められた電流パターンとに基づいて、前記第１電気機器が前記第１分岐ブレーカに接続されているか否かを判別する第１判別部と、
前記第１判別部により前記第１電気機器が前記第１分岐ブレーカに接続されていると判別された場合、第２期間において前記第１電流値測定部により測定された値の時系列データを取得する第２時系列データ取得部と、
前記第１電線に流れる電流の値を測定する第２電流値測定部と、
前記第２期間と重複する第３期間において前記第２電流値測定部により測定された値の時系列データを取得する第３時系列データ取得部と、
前記第２時系列データ取得部により取得された時系列データと前記第３時系列データ取得部により取得された時系列データとに基づいて、前記少なくとも１つの電気機器のうちの前記第１電気機器以外の電気機器が前記第１分岐ブレーカに接続されているか否かを判別する第２判別部と、を備える、
接続関係判別システム。
【請求項２】
前記第２判別部により前記第１電気機器以外の電気機器が前記第１分岐ブレーカに接続されていると判別された場合、前記負荷装置が前記少なくとも１つの電気機器のうちの前記第１電気機器以外の第２電気機器と並列に前記第２電気機器に交流電力を供給する第２電線に接続されている第４期間において前記第１電流値測定部により測定された値の時系列データを取得する第４時系列データ取得部と、
前記第４時系列データ取得部により取得された時系列データと前記予め定められた電流パターンとに基づいて、前記第２電気機器が前記第１分岐ブレーカに接続されているか否かを判別する第３判別部と、をさらに備える、
請求項１に記載の接続関係判別システム。
【請求項３】
前記第３判別部により前記第２電気機器が前記第１分岐ブレーカに接続されていると判別された場合、第５期間において前記第１電流値測定部により測定された値の時系列データを取得する第５時系列データ取得部と、
前記第５期間と重複する第６期間において前記第２電流値測定部により測定された値の時系列データを取得する第６時系列データ取得部と、
前記第２電線に流れる電流の値を測定する第３電流値測定部と、
前記第５期間と前記第６期間とに重複する第７期間において前記第３電流値測定部により測定された値の時系列データを取得する第７時系列データ取得部と、
前記第５時系列データ取得部により取得された時系列データと前記第６時系列データ取得部により取得された時系列データと前記第７時系列データ取得部により取得された時系列データとに基づいて、前記少なくとも１つの電気機器のうちの前記第１電気機器と前記第２電気機器以外の電気機器が前記第１分岐ブレーカに接続されているか否かを判別する第４判別部と、をさらに備える、
請求項２に記載の接続関係判別システム。
【請求項４】
前記第１電流値測定部と、前記第２時系列データ取得部と、第１通信部と、を備える第１通信装置と、
前記第２電流値測定部と、前記第３時系列データ取得部と、第２通信部と、を備える第２通信装置と、をさらに備え、
前記第１通信装置と前記第２通信装置とのうちの一方が前記第２判別部を備え、
前記第１通信装置が前記第２判別部を備える場合、前記第２通信部は、前記第３時系列データ取得部により取得された時系列データを、前記第１電線を介して、前記第１通信部に送信し、
前記第２通信装置が前記第２判別部を備える場合、前記第１通信部は、前記第２時系列データ取得部により取得された時系列データを、前記第１電線を介して、前記第２通信部に送信する、
請求項１から３のいずれか１項に記載の接続関係判別システム。
【請求項５】
前記第１通信装置は、前記第２期間及び前記第３期間以外の期間に、前記第１電線を介して供給された電力を蓄積し、前記第２期間及び前記第３期間に、蓄積した電力を前記第１通信装置に供給する第１電源部をさらに備え、
前記第２通信装置は、前記第２期間及び前記第３期間以外の期間に、前記第１電線を介して供給された電力を蓄積し、前記第２期間及び前記第３期間に、蓄積した電力を前記第２通信装置に供給する第２電源部をさらに備える、
請求項４に記載の接続関係判別システム。
【請求項６】
少なくとも１つの分岐ブレーカと少なくとも１つの電気機器との接続関係を判別する接続関係判別方法であって、
予め定められた電流パターンで交流電力を消費する負荷装置が前記少なくとも１つの電気機器のうちの第１電気機器と並列に前記第１電気機器に交流電力を供給する第１電線に接続されている第１期間において、前記少なくとも１つの分岐ブレーカのうちの第１分岐ブレーカを流れる電流の値の時系列データを取得する第１時系列データ取得ステップと、
前記第１時系列データ取得ステップで取得された時系列データと前記予め定められた電流パターンとに基づいて、前記第１電気機器が前記第１分岐ブレーカに接続されているか否かを判別する第１判別ステップと、
前記第１判別ステップで前記第１電気機器が前記第１分岐ブレーカに接続されていると判別された場合、第２期間において前記第１分岐ブレーカを流れる電流の値の時系列データを取得する第２時系列データ取得ステップと、
前記第２期間と重複する第３期間において前記第１電線に流れる電流の値の時系列データを取得する第３時系列データ取得ステップと、
前記第２時系列データ取得ステップで取得された時系列データと前記第３時系列データ取得ステップで取得された時系列データとに基づいて、前記少なくとも１つの電気機器のうちの前記第１電気機器以外の電気機器が前記第１分岐ブレーカに接続されているか否かを判別する第２判別ステップと、を備える、
接続関係判別方法。
【発明の詳細な説明】
【技術分野】
【０００１】
本発明は、複数の分岐ブレーカと複数の電気機器との接続関係を判別する接続関係判別システム、及び、接続関係判別方法に関する。
【背景技術】
【０００２】
現在、主幹ブレーカに接続された複数の分岐ブレーカと、それぞれが複数の分岐ブレーカのいずれかを介して供給された電力を消費する複数の電気機器と、を備える電力消費システムにおいて、複数の分岐ブレーカと複数の電気機器との接続関係を判別する技術が知られている。例えば、特許文献１には、４つの分岐ブレーカに１対１で接続された４つの分岐回路と、４つの分岐回路に１対１で接続された４つの電気機器（専用機器）との対応関係を特定する技術が開示されている。
【０００３】
特許文献１に開示された技術では、４つの分岐回路のそれぞれにおける消費電力量と、４つの電気機器のそれぞれの電力消費モデルとに基づいて、４つの分岐回路と４つの電気機器との対応関係を特定している。特許文献１に開示された技術は、１つの分岐ブレーカに１つの分岐回路のみが接続され、１つの分岐回路に１つの電気機器のみが接続されることを前提とする技術である。
【先行技術文献】
【特許文献】
【０００４】
【特許文献１】特開２０１３−１８１９５８号公報
【発明の概要】
【発明が解決しようとする課題】
【０００５】
しかしながら、複数の分岐ブレーカと複数の電気機器とを備える電力消費システムにおいて、１つの分岐ブレーカに１つの電気機器のみが接続されるように構成されることは稀であり、１つの分岐ブレーカに複数の電気機器が接続されるように構成されることが多い。このため、特許文献１に開示された技術は、適用可能な電力消費システムが限定的であり、利便性が高い技術ではなかった。このため、複数の分岐ブレーカと複数の電気機器との対応関係を判別することが可能な利便性の高い技術が望まれている。
【０００６】
本発明は、上記問題に鑑みてなされたものであり、複数の分岐ブレーカと複数の電気機器との対応関係を判別することが可能な利便性の高い接続関係判別システム、及び、接続関係判別方法を提供することを目的とする。
【課題を解決するための手段】
【０００７】
上記目的を達成するために、本発明に係る接続関係判別システムは、
少なくとも１つの分岐ブレーカと少なくとも１つの電気機器との接続関係を判別する接続関係判別システムであって、
予め定められた電流パターンで交流電力を消費する負荷装置と、
前記少なくとも１つの分岐ブレーカのうちの第１分岐ブレーカを流れる電流の値を測定する第１電流値測定部と、
前記負荷装置が前記少なくとも１つの電気機器のうちの第１電気機器と並列に前記第１電気機器に交流電力を供給する第１電線に接続されている第１期間において前記第１電流値測定部により測定された値の時系列データを取得する第１時系列データ取得部と、
前記第１時系列データ取得部により取得された時系列データと前記予め定められた電流パターンとに基づいて、前記第１電気機器が前記第１分岐ブレーカに接続されているか否かを判別する第１判別部と、
前記第１判別部により前記第１電気機器が前記第１分岐ブレーカに接続されていると判別された場合、第２期間において前記第１電流値測定部により測定された値の時系列データを取得する第２時系列データ取得部と、
前記第１電線に流れる電流の値を測定する第２電流値測定部と、
前記第２期間と重複する第３期間において前記第２電流値測定部により測定された値の時系列データを取得する第３時系列データ取得部と、
前記第２時系列データ取得部により取得された時系列データと前記第３時系列データ取得部により取得された時系列データとに基づいて、前記少なくとも１つの電気機器のうちの前記第１電気機器以外の電気機器が前記第１分岐ブレーカに接続されているか否かを判別する第２判別部と、を備える。
【発明の効果】
【０００８】
本発明では、負荷装置が第１電気機器と並列に第１電線に接続されている第１期間において第１分岐ブレーカに流れる電流に基づいて、第１電気機器が第１分岐ブレーカに接続されているか否かが判別され、第１電気機器が第１分岐ブレーカに接続されていると判別された場合、第２期間において第１分岐ブレーカに流れる電流と、第２期間と重複する第３期間において第１電気機器に交流電力を供給する第１電線に流れる電流とに基づいて、第１分岐ブレーカに第１電気機器以外の電気機器が接続されているか否かが判別される。従って、本発明によれば、電気機器と分岐ブレーカとの接続関係の判別における利便性の向上が期待できる。
【図面の簡単な説明】
【０００９】
【図１】本発明の実施形態に係る接続関係判別システムの第１の構成図である。
【図２】本発明の実施形態に係る第１通信装置の構成図である。
【図３】本発明の実施形態に係る負荷装置の構成図である。
【図４】交流電圧と各部に流れる電流の関係を示す図である。（Ａ）は、電線Ｌ１１−電線Ｎ１１間に印加される電圧を示す図である。（Ｂ）は、負荷装置２００に流れる電流を示す図である。（Ｃ）は、電気機器３１０に流れる電流を示す図である。（Ｄ）は、電線Ｌ１１に流れる電流を示す図である。
【図５】本発明の実施形態に係る接続関係判別システムの第２の構成図である。
【図６】本発明の実施形態に係る第２通信装置の構成図である。
【図７】本発明の実施形態に係る接続関係判別システムの機能を説明するための図である。
【図８】電流が非周期的に変化する場合に、時系列データの相関関係が高い部分が特定される様子を模式的に示す図である。
【図９】電流が周期的に変化する場合に、時系列データの相関関係が高い部分が特定される様子を模式的に示す図である。
【図１０】本発明の実施形態に係る接続関係判別システムが実行する接続関係判別処理を示すフローチャートである。
【図１１】図１０に示す接続機器追跡処理を示すフローチャートである。
【発明を実施するための形態】
【００１０】
以下、本発明の実施形態を、図面を参照して説明する。まず、図１を参照して、本発明の実施形態に係る接続関係判別システム１０００について説明する。図１に示すように、接続関係判別システム１０００は、第１通信装置１００と、負荷装置２００と、を備える。また、図１に示すように、電力消費システム２０００は、電気機器３１０と、電気機器３２０と、電気機器３３０と、主幹ブレーカ４００と、分岐ブレーカ４１０と、分岐ブレーカ４２０と、を備える。なお、主幹ブレーカ４００と、分岐ブレーカ４１０と、分岐ブレーカ４２０とは、分電盤２１００に収納されているものとする。
【００１１】
本実施形態では、電気機器３１０、電気機器３２０、電気機器３３０のそれぞれが配置された位置は、分電盤２１００が配置された位置とは離れており、電気機器と分岐ブレーカとの接続関係を適切に示す電源系統図は存在しないものとする。そこで、本実施形態では、ユーザは、接続関係判別システム１０００を用いて、どの電気機器がどの分岐ブレーカに接続されているのかを確認する例について説明する。なお、ある電気機器に交流電力を供給する分岐ブレーカを、この電気機器に接続された分岐ブレーカと呼ぶ。
【００１２】
本実施形態では、ユーザは、メンテナンス対象の電気機器をメンテナンスするために、メンテナンス対象の電気機器に接続された分岐ブレーカを遮断する必要があるものとする。ただし、ユーザは、この分岐ブレーカを遮断する前に、この分岐ブレーカに接続された他の電気機器の電源を、誤動作の防止などの観点からオフにする必要があるものとする。そこで、ユーザは、接続関係判別システム１０００を用いて、メンテナンス対象の電気機器に接続された分岐ブレーカを特定し、さらに、特定した分岐ブレーカに接続された他の電気機器を特定する。本実施形態では、メンテナンス対象の電気機器が電気機器３１０であり、電気機器３１０に接続された分岐ブレーカが分岐ブレーカ４１０であり、分岐ブレーカ４１０には電気機器３１０以外に電気機器３２０も接続されているものとする。また、電気機器３３０は、分岐ブレーカ４２０に接続されているものとする。
【００１３】
接続関係判別システム１０００が実行する接続関係判別処理は、メンテナンス対象の電気機器に接続された分岐ブレーカを特定する第１段階の処理と、特定された分岐ブレーカに接続された他の電気機器を特定する第２段階の処理と、に大別される。図１には、第１段階の処理に用いられる構成要素のみを示している。なお、第２段階の処理では、負荷装置２００に代えて、第２通信装置１５０が用いられる。
【００１４】
第１通信装置１００は、電線を介して、第２通信装置１５０と通信する装置である。ただし、第１段階の処理では、第１通信装置１００は、通信機能を利用せず、データ処理装置として機能する。第１通信装置１００は、電線に流れる電流の値の時系列データに基づいて、この電線に負荷装置２００が接続されているか否かを判別する。第１通信装置１００は、例えば、ＰＬＣ（Power Line Communications）機能を有する装置である。図２に示すように、第１通信装置１００は、制御部１１と、計測部１２と、通信部１３と、電源部１４と、表示部１５と、を備える。
【００１５】
制御部１１は、第１通信装置１００全体の動作を制御する。制御部１１は、計測部１２を制御して、電線Ｌ１に流れる電流の値の時系列データを取得する。制御部１１は、通信部１３を制御して、第２通信装置１５０と通信する。制御部１１は、時系列データを取得していない期間に電力を蓄え、時系列データを取得している期間に自立運転が可能となるように、電源部１４を制御する。制御部１１は、表示部１５を制御して、判別結果を表示する。制御部１１は、ＣＰＵ（Central Processing Unit）、ＲＯＭ（Read Only Memory）、ＲＡＭ（Random Access Memory）などを備える。
【００１６】
計測部１２は、電流センサ１６を備える。電流センサ１６は、電線Ｌ１に流れる電流の値を検出する。計測部１２は、電線Ｌ１の電位と電線Ｎ１の電位とを検知する機能を有する。計測部１２は、例えば、電線Ｌ１の電位や電線Ｎ１の電位が接地電位（０Ｖ）となったタイミングを、各処理の同期に利用することができる。計測部１２は、電流センサ１６により検知された電流の値を、予め定められたサンプリング周期でサンプリングする。このサンプリング周期は、商用電源３０００の周期（例えば、２０ｍｓ）よりも十分に短いものとする。計測部１２は、サンプリングにより、電線Ｌ１に流れる電流の値の時系列データを取得する。計測部１２は、取得した時系列データを、図示しないバッファメモリに記憶する。計測部１２は、制御部１１による制御に従って、バッファメモリに記憶された時系列データを、制御部１１に供給する。計測部１２は、例えば、電力計を備える。
【００１７】
通信部１３は、制御部１１による制御に従って、ＰＬＣを実行する。例えば、通信部１３は、電線Ｌ１や電線Ｎ１を介して、第２通信装置１５０に測定開始信号を送信する。また、通信部１３は、電線Ｌ１や電線Ｎ１を介して、第２通信装置１５０から送信された時系列データを受信する。通信部１３は、受信した時系列データを制御部１１に供給する。
【００１８】
電源部１４は、電線Ｌ１と電線Ｎ１とを介して、第１通信装置１００が消費する電力を取得する。電源部１４は、電線Ｌ１と電線Ｎ１とを介して供給された交流電力を直流電力に変換して、第１通信装置１００が備える各構成に供給する。電源部１４は、電力を蓄積する機能を有する。電源部１４は、測定期間中は、第１通信装置１００の自立運転が可能になるように、制御部１１により制御される。なお、測定期間は、時系列データを取得している期間であり、非測定期間は、時系列データを取得していない期間である。電源部１４は、非測定期間中は、電線Ｌ１と電線Ｎ１を介して電力の供給を受け、供給された電力を、第１通信装置１００が備える各構成に供給するとともに蓄積する。一方、電源部１４は、測定期間中は、電線Ｌ１と電線Ｎ１を介して電力の供給を受けず、蓄積した電力を、第１通信装置１００が備える各構成に供給する。
【００１９】
表示部１５は、制御部１１による制御に従って、判別結果を示す情報などを表示する。表示部１５は、例えば、液晶ディスプレイ、タッチスクリーン、ＬＥＤ（Light Emitting Diode）などを備える。
【００２０】
負荷装置２００は、予め定められた電流パターンで交流電力を消費する装置である。この電流パターンは、電気機器３１０、電気機器３２０、電気機器３３０などにより消費される電流パターンと区別可能な特殊な電流パターンであることが好適である。例えば、この電流パターンは、数周期に１回だけ、交流電圧がゼロクロスするタイミングを基準とする予め定められた期間だけ、正または負の電流が流れる電流パターンである。
【００２１】
図３に示すように、負荷装置２００は、抵抗器２０１と、抵抗器２０２と、スイッチ２０３と、ＩＧＢＴ（Insulated Gate Bipolar Transistor）２０４と、ＩＧＢＴ２０５と、マイコン２０６と、スイッチ２０７と、スイッチ２０８と、スイッチ２０９と、分圧回路２１０と、ゼロクロス検出回路２１１と、電源回路２１２と、トランス２１３と、などにより構成される。
【００２２】
負荷装置２００は、ＩＧＢＴ２０４やＩＧＢＴ２０５などのスイッチングデバイスと、抵抗器２０１や抵抗器２０２などの電力消費用の抵抗とが直列に接続された回路を有する。この回路は、電源電圧に同期して、電源周期のうちの予め定められた期間、予め定められたスイッチング周波数で駆動される。これにより、流れる電流の振幅や電流の流れる期間が任意のパターンに設定され、設定されたパターンに応じて電流が消費される。ＩＧＢＴ２０４やＩＧＢＴ２０５のスイッチングパターンは、マイコン２０６により設定される。
【００２３】
ここで、図４を参照して、交流電圧と各部に流れる電流の関係を示す。図４（Ａ）は、電線Ｌ１１−電線Ｎ１１間に印加される電圧（交流電圧）を示す図である。図４（Ｂ）は、負荷装置２００に流れる電流を示す図である。図４（Ｂ）に示すように、負荷装置２００には、２周期に１回だけ、交流電圧がゼロクロスするタイミングを基準とする予め定められた期間だけ、正の電流が流れる。
【００２４】
図４（Ｃ）は、電気機器３１０に流れる電流を示す図である。図４（Ｃ）に示すように、電気機器３１０には、電気機器３１０の種類や動作モードなどに応じたパターンの電流が流れる。図４（Ｄ）は、電線Ｌ１１に流れる電流を示す図である。図４（Ｄ）に示すように、電線Ｌ１１には、負荷装置２００に流れる電流と電気機器３１０に流れる電流との和の電流が流れる。このように、電線Ｌ１１に流れる電流には、負荷装置２００に流れる電流が含まれる。第１通信装置１００は、電線Ｌ１に流れる電流に、負荷装置２００に流れる電流が含まれていると判別した場合、電線Ｌ１と電線Ｌ１１とが接続されていると判別し、電気機器３１０と分岐ブレーカ４１０とが接続されていると判別する。なお、電線Ｌ１と電線Ｌ１１とが接続されていることは、電線Ｌ１と電線Ｌ１１とが同一の電線であるともいえる。以下、ある電線が他の電線と接続されていることは、ある電線が他の電線と同一であることも含む概念であるものとする。図１の説明に戻る。
【００２５】
電気機器３１０は、電線Ｌ１１と電線Ｎ１１とを介して供給された交流電力を、電気機器３１０の機能に応じた電流パターンで消費する機器である。電気機器３２０は、電線Ｌ１２と電線Ｎ１２とを介して供給された交流電力を、電気機器３２０の機能に応じた電流パターンで消費する機器である。電気機器３３０は、電線Ｌ１３と電線Ｎ１３とを介して供給された交流電力を、電気機器３３０の機能に応じた電流パターンで消費する機器である。
【００２６】
主幹ブレーカ４００は、商用電源３０００から供給された交流電力を、分岐ブレーカ４１０と分岐ブレーカ４２０とに分配する。主幹ブレーカ４００は、電線Ｌ０と電線Ｎ０とにより、分岐ブレーカ４１０と分岐ブレーカ４２０とのそれぞれと接続される。
【００２７】
分岐ブレーカ４１０は、主幹ブレーカ４００を介して、商用電源３０００から交流電力の供給を受ける。分岐ブレーカ４１０は、電線Ｌ１と電線Ｎ１とを介して、電気機器３１０と電気機器３２０とのそれぞれに電力を供給する。
【００２８】
分岐ブレーカ４２０は、主幹ブレーカ４００を介して、商用電源３０００から交流電力の供給を受ける。分岐ブレーカ４２０は、電線Ｌ２と電線Ｎ２とを介して、電気機器３３０に電力を供給する。
【００２９】
なお、電線Ｌ１は、電線Ｌ１１と電線Ｌ１２とに接続され、電線Ｎ１は、電線Ｎ１１と電線Ｎ１２とに接続されている。また、電線Ｌ２は、電線Ｌ１３に接続され、電線Ｎ２は、電線Ｎ１３に接続されている。しかしながら、図１に示すように、これらの接続関係は、ユーザには、わからないものとする。
【００３０】
商用電源３０００は、電力会社などが需要家に交流電力を供給する電源である。商用電源３０００は、分電盤２１００内に収納された主幹ブレーカ４００を介して、電気機器３１０、電気機器３２０、電気機器３３０に、交流電力を供給する。商用電源３０００は、Ｌ相とＮ相とによる交流電力を供給する。なお、Ｌ相とＮ相との電位差は、例えば、実効値で１００Ｖである。
【００３１】
以上説明したように、第１段階の処理は、メンテナンス対象の電気機器と並列に負荷装置２００が接続され、メンテナンス対象の電気機器に接続されていると予測される分岐ブレーカと並列に第１通信装置１００が接続された状態で実行される。なお、メンテナンス対象の電気機器は、電気機器３１０であり、メンテナンス対象の電気機器に接続されていると予測される分岐ブレーカは、分岐ブレーカ４１０である。つまり、ユーザは、第１段階の処理前の準備として、電気機器３１０に接続された電線Ｌ１１及び電線Ｎ１１に、電気機器３１０と並列に負荷装置２００を接続する。また、ユーザは、第１段階の処理前の準備として、分岐ブレーカ４１０に接続された電線Ｌ１及び電線Ｎ１に、分岐ブレーカ４１０と並列に第１通信装置１００を接続する。
【００３２】
第１段階の処理では、第１通信装置１００は、Ｌ１に流れる電流の値の時系列データに基づいて、Ｌ１に流れる電流に、負荷装置２００に流れている電流が重畳されているか否かを判別する。ここで、Ｌ１に流れる電流には、負荷電流２００に流れる電流のほか、電気機器３１０に流れる電流や、電気機器３２０に流れる電流も含まれる。しかしながら、負荷電流２００に流れる電流のパターンが特殊な電流パターンであるため、上記判別を誤る確率が低いと考えられる。
【００３３】
次に、図５を参照して、第２段階の処理が実行されるときの接続関係判別システム１０００の構成について説明する。第２段階の処理が実行されるとき、接続関係判別システム１０００は、第１通信装置１００と、第２通信装置１５０と、を備える。
【００３４】
第１通信装置１００は、第２段階の処理では、第２通信装置１５０と通信する。第１通信装置１００は、電線Ｌ１や電線Ｎ１を介して、測定開始信号を第２通信装置１５０に送信する。また、第１通信装置１００は、測定開始信号を送信した後、電線Ｌ１に流れる電流の値の時系列データを取得する。また、第１通信装置１００は、電線Ｌ１１に流れる電流の値の時系列データを、電線Ｌ１や電線Ｎ１を介して、第２通信装置１５０から受信する。そして、第１通信装置１００は、電線Ｌ１に流れる電流の値の時系列データと、電線Ｌ１１に流れる電流の値の時系列データとを比較することにより、分岐ブレーカ４１０に電気機器３１０以外の電気機器が接続されているか否かを判別する。第１通信装置１００は、判別結果を示す情報を表示する。なお、第１通信装置１００は、時系列データを測定している間、自立運転する。
【００３５】
第２通信装置１５０は、第１通信装置１００と通信する。第２通信装置１５０は、電線Ｌ１１や電線Ｎ１１を介して、測定開始信号を第１通信装置１００から受信する。また、第２通信装置１５０は、測定開始信号を受信した後、電線Ｌ１１に流れる電流の値の時系列データを取得する。また、第２通信装置１５０は、電線Ｌ１１に流れる電流の値の時系列データを、電線Ｌ１１や電線Ｎ１１を介して、第１通信装置１００に送信する。なお、第２通信装置１５０は、時系列データを測定している間、自立運転する。第２通信装置１５０は、例えば、ＰＬＣ機能を有する装置である。図６に示すように、第２通信装置１５０は、制御部２１と、計測部２２と、通信部２３と、電源部２４と、を備える。
【００３６】
制御部２１は、第２通信装置１５０全体の動作を制御する。制御部２１は、計測部２２を制御して、電線Ｌ１１に流れる電流の値の時系列データを取得する。制御部２１は、通信部２３を制御して、第１通信装置１００と通信する。制御部２１は、時系列データを取得していない期間に電力を蓄え、時系列データを取得している期間に自立運転が可能となるように、電源部２４を制御する。制御部２１は、ＣＰＵ、ＲＯＭ、ＲＡＭなどを備える。
【００３７】
計測部２２は、電流センサ２６を備える。電流センサ２６は、電線Ｌ１１に流れる電流の値を検出する。計測部２２は、電線Ｌ１１の電位と電線Ｎ１１の電位とを検知する機能を有する。計測部２２は、例えば、電線Ｌ１１の電位や電線Ｎ１１の電位が接地電位（０Ｖ）となったタイミングを、各処理の同期に利用することができる。計測部２２は、電流センサ２６により検知された電流の値を、予め定められたサンプリング周期でサンプリングする。このサンプリング周期は、商用電源３０００の周期（例えば、２０ｍｓ）よりも十分に短いものとする。計測部２２は、サンプリングにより、電線Ｌ１１に流れる電流の値の時系列データを取得する。計測部２２は、取得した時系列データを、図示しないバッファメモリに記憶する。計測部２２は、制御部２１による制御に従って、バッファメモリに記憶された時系列データを、制御部２１に供給する。計測部２２は、例えば、電力計を備える。
【００３８】
通信部２３は、制御部２１による制御に従って、ＰＬＣを実行する。例えば、通信部２３は、電線Ｌ１１や電線Ｎ１１を介して、第１通信装置１００から送信された測定開始信号を受信する。通信部２３は、受信した制御開始信号を制御部１１に供給する。通信部２３は、電線Ｌ１１や電線Ｎ１１を介して、計測部２２により取得された時系列データを、第１通信装置１００に送信する。
【００３９】
電源部２４は、電線Ｌ１１と電線Ｎ１１とを介して、第２通信装置１５０が消費する電力を取得する。電源部２４は、電線Ｌ１１と電線Ｎ１１とを介して供給された交流電力を直流電力に変換して、第２通信装置１５０が備える各構成に供給する。電源部２４は、電力を蓄積する機能を有する。電源部２４は、測定期間中は、第２通信装置１５０の自立運転が可能になるように、制御部２１により制御される。電源部２４は、非測定期間中は、電線Ｌ１１と電線Ｎ１１を介して電力の供給を受け、供給された電力を、第２通信装置１５０が備える各構成に供給するとともに蓄積する。一方、電源部２４は、測定期間中は、電線Ｌ１１と電線Ｎ１１を介して電力の供給を受けず、蓄積した電力を、第２通信装置１５０が備える各構成に供給する。
【００４０】
次に、図７を参照して、接続関係判別システム１０００の基本的な機能について説明する。接続関係判別システム１０００は、機能的には、負荷装置１０１、第１電流値測定部１０２、第１時系列データ取得部１０３、第１判別部１０４、第２時系列データ取得部１０５、第２電流値測定部１０６、第３時系列データ取得部１０７、第２判別部１０８、を備える。なお、接続関係判別システム１０００は、少なくとも１つの分岐ブレーカと少なくとも１つの電気機器との接続関係を判別するシステムである。
【００４１】
負荷装置１０１は、予め定められた電流パターンで交流電力を消費する。負荷装置１０１は、例えば、負荷装置２００を備える。
【００４２】
第１電流値測定部１０２は、少なくとも１つの分岐ブレーカのうちの第１分岐ブレーカを流れる電流の値を測定する。第１分岐ブレーカは、メンテナンス対象の電気機器が接続されていると考えられる分岐ブレーカである。例えば、第１分岐ブレーカは、分岐ブレーカ４１０である。第１電流値測定部１０２は、例えば、電流センサ１６を備える。
【００４３】
第１時系列データ取得部１０３は、第１期間において第１電流値測定部１０２により測定された値の時系列データ（以下、「第１時系列データ」という。）を取得する。ここで、第１期間は、負荷装置１０１が少なくとも１つの電気機器のうちの第１電気機器と並列に第１電気機器に交流電力を供給する第１電線に接続されている期間である。第１電気機器は、メンテナンス対象の電気機器である。例えば、第１電気機器は、電気機器３１０である。また、第１電線は、電線Ｌ１１や電線Ｎ１１である。第１時系列データ取得部１０３は、例えば、計測部１２を備える。
【００４４】
第１判別部１０４は、第１時系列データ取得部１０３により取得された第１時系列データと上述した予め定められた電流パターンとに基づいて、第１電気機器が第１分岐ブレーカに接続されているか否かを判別する。例えば、第１判別部１０４は、第１時系列データが、上述した電流パターンを含む時系列データであるか否かを判別する。例えば、第１判別部１０４は、第１時系列データと上述した電流パターンを示す時系列データとの相関値が第１閾値以上である場合、第１電気機器が第１分岐ブレーカに接続されていると判別する。第１判別部１０４は、例えば、制御部１１を備える。
【００４５】
第２時系列データ取得部１０５は、第１判別部１０４により第１電気機器が第１分岐ブレーカに接続されていると判別された場合、第２期間において第１電流値測定部１０２により測定された値の時系列データ（以下、「第２時系列データ」という。）を取得する。第２期間は、第１段階の処理が終了し、第２段階の処理が開始された後の期間である。例えば、第２期間は、開始指示信号が出力された時刻から、予め定められた時間が経過するまでの期間である。第２時系列データ取得部１０５は、例えば、計測部１２を備える。
【００４６】
第２電流値測定部１０６は、第１電線に流れる電流の値を測定する。第２電流値測定部１０６は、例えば、電流センサ２６を備える。
【００４７】
第３時系列データ取得部１０７は、第２期間と重複する第３期間において第２電流値測定部１０６により測定された値の時系列データ（以下、「第３時系列データ」という。）を取得する。第３時系列データ取得部１０７は、例えば、計測部２２を備える。
【００４８】
第２判別部１０８は、第２時系列データ取得部１０５により取得された第２時系列データと第３時系列データ取得部１０７により取得された第３時系列データとに基づいて、少なくとも１つの電気機器のうちの第１電気機器以外の電気機器が第１分岐ブレーカに接続されているか否かを判別する。例えば、第２判別部１０８は、第２時系列データと第３時系列データとの相関値が第２閾値以上である場合、第１電気機器以外の電気機器が第１分岐ブレーカに接続されていないと判別する。
【００４９】
なお、第２時系列データと第３時系列データとの相関値は、例えば、第２時系列データと第３時系列データとを相対的にずらしながら、両者の重複する部分について相関値を求め、求められた相関値の最大値と考えることができる。つまり、第１通信装置１００と第２通信装置１５０とは、完全に同期をとることができないため、第２時系列データと第３時系列データとの時間軸を一致させることは難しい。そこで、第２時系列データと第３時系列データとをずらしながら重複部分の相関値を求めた場合、相関値が最大となるときに時間軸が一致するとみなしている。
【００５０】
なお、第２段階の処理が開始された段階では、少なくとも電気機器３１０と分岐ブレーカ４１０とが接続されていることは確定している。従って、仮に分岐ブレーカ４１０に電気機器３１０以外の電気機器３２０が接続されていたとしても、この相関値はある程度高いものになることが期待できる。そこで、第２閾値は、第１閾値よりも高く設定されることが好適である。
【００５１】
接続関係判別システム１０００は、機能的に、上述した構成以外の構成を備えていてもよい。例えば、接続関係判別システム１０００は、図示しないが、機能的に、さらに、第４時系列データ取得部と、第３判別部と、第５時系列データ取得部と、第６時系列データ取得部と、第３電流値測定部と、第７時系列データ取得部と、第４判別部と、を備えていてもよい。
【００５２】
第４時系列データ取得部は、第２判別部１０８により第１電気機器以外の電気機器が第１分岐ブレーカに接続されていると判別された場合、第４期間において第１電流値測定部１０２により測定された値の時系列データ（以下、「第４時系列データ」という。）を取得する。第４期間は、負荷装置１０１が少なくとも１つの電気機器のうちの第１電気機器以外の第２電気機器と並列に第２電気機器に交流電力を供給する第２電線に接続されている期間である。
【００５３】
第２電気機器は、第１分岐ブレーカに接続されていると予測される第１電気機器以外の電気機器である。例えば、第２電気機器は、電気機器３２０である。この場合、第２電線は、電線Ｌ１２や電線Ｎ１２である。つまり、第４期間は、負荷装置２００を、電気機器３１０に代えて電気機器３２０に、並列に接続された後の期間である。第４時系列データ取得部は、例えば、計測部１２を備える。
【００５４】
第３判別部は、第４時系列データ取得部により取得された第４時系列データと上述した予め定められた電流パターンとに基づいて、第２電気機器が第１分岐ブレーカに接続されているか否かを判別する。第３判別部は、例えば、第１判別部１０４と同様の手法により、第２電気機器が第１分岐ブレーカに接続されているか否かを判別する。第３判別部は、例えば、制御部１１を備える。
【００５５】
第５時系列データ取得部は、第３判別部により第２電気機器が第１分岐ブレーカに接続されていると判別された場合、第５期間において第１電流値測定部１０２により測定された値の時系列データ（以下、「第５時系列データ」という。）を取得する。第５期間は、例えば、電気機器３２０と並列に第２通信装置１５０が接続された後、開始指示信号が出力された時刻から、予め定められた時間が経過するまでの期間である。第５時系列データ取得部は、例えば、計測部１２を備える。
【００５６】
第６時系列データ取得部は、第５期間と重複する第６期間において第２電流値測定部１０６により測定された値の時系列データ（以下、「第６時系列データ」という。）を取得する。第６時系列データ取得部は、例えば、計測部２２を備える。
【００５７】
第３電流値測定部は、第２電線に流れる電流の値を測定する。第３電流値測定部は、例えば、電流センサ２６を備える。
【００５８】
第７時系列データ取得部は、第５期間と第６期間とに重複する第７期間において第３電流値測定部により測定された値の時系列データ（以下、「第７時系列データ」という。）を取得する。第７時系列データ取得部は、例えば、計測部２２を備える。
【００５９】
第４判別部は、第５時系列データ取得部により取得された第５時系列データと第６時系列データ取得部により取得された第６時系列データと第７時系列データ取得部により取得された第７時系列データとに基づいて、少なくとも１つの電気機器のうちの第１電気機器と第２電気機器以外の電気機器が第１分岐ブレーカに接続されているか否かを判別する。
【００６０】
例えば、第４判別部は、第５時系列データと第６時系列データと第７時系列データとの時間軸を揃える。この場合、第４判別部は、例えば、第５時系列データと第６時系列データとの時間軸を揃え、次に、第５時系列データと第７時系列データとの時間軸を揃える。なお、時間軸を揃えることは、比較される２つの時系列データ同士の相関値が最大になるように、時間軸をずらすことである。そして、第４判別部は、第６時系列データと第７時系列データとの時間軸を揃えた上で、第６時系列データと第７時系列データとを加算することにより、新たな時系列データを求める。そして、第４判別部は、第５時系列データと、新たに求めた時系列データとの相関値が第３閾値以上である場合、第１電気機器と第２電気機器以外の電気機器が第１分岐ブレーカに接続されていないと判別する。
【００６１】
また、第３期間は、複数の期間を包含していてもよい。以下、図８と図９とを参照して、第３期間が、第１部分期間と第２部分期間と第３部分期間と第４部分期間と第５部分期間とを含む例について説明する。
【００６２】
図８は、電流が非周期的に変化する場合に、時系列データの相関関係が高い部分が特定される様子を模式的に示す図である。電流が非周期的に変化するとは、電流の変化が周期的ではなく、同様の電流パターンが繰り返されないことを意味する。例えば、電気機器３１０で消費される電流と電気機器３２０で消費される電流とのいずれもが非周期的に変化する場合、電線Ｌ１に流れる電流も非周期的に変化する。
【００６３】
図８において、Ｔ２は第２期間を示し、ＴＤ２は、第２期間において電線Ｌ１に流れた電流の値の時系列データである第２時系列データを示す。また、図８において、Ｔ３−１、Ｔ３−２、Ｔ３−３、Ｔ３−４、Ｔ３−５は、それぞれ、第３期間に含まれる第１部分期間、第３期間に含まれる第２部分期間、第３期間に含まれる第３部分期間、第３期間に含まれる第４部分期間、第３期間に含まれる第５部分期間を示す。さらに、図８において、ＴＤ３−１、ＴＤ３−２、ＴＤ３−３、ＴＤ３−４、ＴＤ３−５は、それぞれ、第１部分期間、第２部分期間、第３部分期間、第４部分期間、第５部分期間において電線Ｌ１１に流れた電流の値の時系列データ（第３時系列データの一部）を示す。
【００６４】
まず、第１通信装置１００は、第２通信装置１５０に測定開始信号を送信した後、ＴＤ２の取得を開始する。一方、第２通信装置１５０は、第１通信装置１００から測定開始信号を受信した後、ＴＤ３−１の取得を開始する。本実施形態では、通信などの処理による遅延のため、第１通信装置１００がＴＤ２の取得を開始する時刻よりも、第２通信装置１５０がＴＤ３−１の取得を開始する時刻の方が遅いものとする。また、本実施形態では、第２通信装置１５０が備えるバッファメモリは、第１通信装置１００が備えるバッファメモリよりも容量が小さく、Ｔ２よりもＴ３−１（Ｔ３−２等も同様）の方が短いものとする。
【００６５】
ここで、測定期間が終了し、第１通信装置１００によりＴＤ２が取得され、第２通信装置１５０によりＴＤ３−１、ＴＤ３−２、ＴＤ３−３、ＴＤ３−４、ＴＤ３−５が取得されたものとする。この場合、第２通信装置１５０は、ＴＤ３−１、ＴＤ３−２、ＴＤ３−３、ＴＤ３−４、ＴＤ３−５を、第１通信装置１００に送信する。ここで、第１通信装置１００は、ＴＤ２と、ＴＤ３−１、ＴＤ３−２、ＴＤ３−３、ＴＤ３−４、ＴＤ３−５のそれぞれとで、時間軸を合わせる処理を実行する。
【００６６】
第１通信装置１００は、まず、ＴＤ２とＴＤ３−１とで時間軸をずらしながら、相関値が最大となるオフセット時間（または、サンプリング数）を求める。なお、電流が非周期的に変化する場合、相関値がピークとなるオフセット時間は、１つだけに決定される。そこで、ＴＤ２とＴＤ３−１とで、決定されたオフセット時間分だけ時間軸をずらすことで、ＴＤ２とＴＤ３−１との時間軸を合わせることができる。そして、第１通信装置１００は、最大の相関値と、オフセット時間とを特定する。
【００６７】
第１通信装置１００は、ＴＤ３−２、ＴＤ３−３、ＴＤ３−４、ＴＤ３−５のそれぞれについても、ＴＤ２と時間軸を合わせ、最大の相関値と、オフセット時間とを特定する。そして、第１通信装置１００は、ＴＤ３−１、ＴＤ３−２、ＴＤ３−３、ＴＤ３−４、ＴＤ３−５のそれぞれについて特定した最大の相関値がいずれも閾値以上であり、且つ、ＴＤ３−１、ＴＤ３−２、ＴＤ３−３、ＴＤ３−４、ＴＤ３−５のそれぞれについて特定したオフセット時間の長さが時系列データの取得順である場合、分岐ブレーカ４１０に電気機器３１０のみが接続されていると判別する。
【００６８】
一方、第１通信装置１００は、ＴＤ３−１、ＴＤ３−２、ＴＤ３−３、ＴＤ３−４、ＴＤ３−５のそれぞれについて特定した最大の相関値のいずれかが閾値未満である場合、または、ＴＤ３−１、ＴＤ３−２、ＴＤ３−３、ＴＤ３−４、ＴＤ３−５のそれぞれについて特定したオフセット時間の長さが時系列データの取得順でない場合、分岐ブレーカ４１０に電気機器３１０以外の電気機器が接続されていると判別する。
【００６９】
図９は、電流が周期的に変化する場合に、時系列データの相関関係が高い部分が特定される様子を模式的に示す図である。電流が周期的に変化するとは、電流の変化が周期的であり、同様の電流パターンが繰り返されることを意味する。例えば、電気機器３１０で消費される電流と電気機器３２０で消費される電流とのいずれかが周期的に変化する場合、電線Ｌ１に流れる電流も周期的に変化する。
【００７０】
測定期間が終了した場合、第２通信装置１５０は、ＴＤ３−１、ＴＤ３−２、ＴＤ３−３、ＴＤ３−４、ＴＤ３−５を、第１通信装置１００に送信する。一方、第１通信装置１００は、ＴＤ２と、ＴＤ３−１、ＴＤ３−２、ＴＤ３−３、ＴＤ３−４、ＴＤ３−５のそれぞれとで、時間軸を合わせる処理を実行する。
【００７１】
ここで、電流が非周期的に変化する場合、相関値がピークとなるオフセット時間が、複数検出されることになる。この場合、第１通信装置１００は、最大の相関値と相関値が最大となるオフセット時間とだけを特定するのではなく、ピークとなる相関値と相関値がピークとなるオフセット時間の組み合わせを全て特定する。
【００７２】
第１通信装置１００は、ＴＤ３−２、ＴＤ３−３、ＴＤ３−４、ＴＤ３−５のそれぞれについても、ＴＤ２と時間軸を合わせ、ピークとなる相関値と相関値がピークとなるオフセット時間の組み合わせを全て特定する。そして、第１通信装置１００は、ＴＤ３−１、ＴＤ３−２、ＴＤ３−３、ＴＤ３−４、ＴＤ３−５のそれぞれについて特定したピークの相関値がいずれも閾値以上であり、且つ、ＴＤ３−１、ＴＤ３−２、ＴＤ３−３、ＴＤ３−４、ＴＤ３−５のそれぞれについて特定したオフセット時間の長さが時系列データの取得順である場合、分岐ブレーカ４１０に電気機器３１０のみが接続されていると判別する。なお、図９に示す例では、ＴＤ３−１とＴＤ３−２との間にＴＤ３−４があり、厳密には、時系列データの取得順とは言えない。しかしながら、図９に示すように、特定されたオフセット時間の長さが規則的であればよい。
【００７３】
一方、第１通信装置１００は、ＴＤ３−１、ＴＤ３−２、ＴＤ３−３、ＴＤ３−４、ＴＤ３−５のそれぞれについて特定したピークの相関値のいずれかが閾値未満である場合、または、ＴＤ３−１、ＴＤ３−２、ＴＤ３−３、ＴＤ３−４、ＴＤ３−５のそれぞれについて特定したオフセット時間の長さが時系列データの取得順でない場合、分岐ブレーカ４１０に電気機器３１０以外の電気機器が接続されていると判別する。
【００７４】
次に、図１０に示すフローチャートを参照して、接続関係判別システム１０００が実行する接続関係判別処理について説明する。
【００７５】
まず、制御部１１は、第１チェックの準備が完了したか否かを判別する（ステップＳ１０１）。第１チェックは、メンテナンス対象の電気機器に接続されていると予測される分岐ブレーカが、実際に、メンテナンス対象の電気機器に接続されているか否かのチェックである。制御部１１は、例えば、表示部１５がタッチスクリーンである場合、このタッチスクリーンに、第１チェックの準備が完了した旨の操作が受け付けられたことを判別した場合、第１チェックの準備が完了したと判別する。なお、ユーザは、負荷装置２００を電気機器３１０と並列に接続し、第１通信装置１００を分岐ブレーカ４１０と並列に接続した後、第１チェックの準備が完了した旨の操作を実行する。制御部１１は、第１チェックの準備が完了していないと判別すると（ステップＳ１０１：ＮＯ）、ステップＳ１０１に処理を戻す。
【００７６】
一方、制御部１１は、第１チェックの準備が完了したと判別すると（ステップＳ１０１：ＹＥＳ）、第１時系列データを取得する（ステップＳ１０２）。例えば、制御部１１は、計測部１２を制御して、第１時系列データを取得する。
【００７７】
制御部１１は、ステップＳ１０２の処理を完了すると、第１時系列データに予め定められた電流パターンが包含されているか否かを判別する（ステップＳ１０３）。例えば、制御部１１は、負荷装置２００の電流パターンを示す時系列データと、第１時系列データとの相関値が、閾値以上であるか否かを判別する。
【００７８】
制御部１１は、第１時系列データに予め定められた電流パターンが包含されていないと判別すると（ステップＳ１０３：ＮＯ）、第１分岐ブレーカの選択が誤りである旨を表示する（ステップＳ１０４）。例えば、制御部１１は、表示部１５を制御して、第１分岐ブレーカの選択が誤りである旨を表示する。制御部１１は、ステップＳ１０４の処理を完了すると、ステップＳ１０１に処理を戻す。なお、ユーザは、第１分岐ブレーカの選択が誤りである旨を確認した場合、第１通信装置１００を接続する分岐ブレーカを変更する。
【００７９】
一方、制御部１１は、第１時系列データに予め定められた電流パターンが包含されていると判別すると（ステップＳ１０３：ＹＥＳ）、第１分岐ブレーカの選択が正しい旨を表示する（ステップＳ１０５）。例えば、制御部１１は、表示部１５を制御して、第１分岐ブレーカの選択が正しい旨を表示する。なお、ユーザは、第１分岐ブレーカの選択が正しい旨を確認した場合、負荷装置２００に代えて第２通信装置１５０を、電気機器３１０に接続する。
【００８０】
制御部１１は、ステップＳ１０５の処理を完了すると、第２チェックの準備が完了したか否かを判別する（ステップＳ１０６）。第２チェックは、メンテナンス対象の電気機器が接続されている分岐ブレーカに他の電気機器が接続されているか否かのチェックである。制御部１１は、例えば、表示部１５がタッチスクリーンである場合、このタッチスクリーンに、第２チェックの準備が完了した旨の操作が受け付けられたことを判別した場合、第２チェックの準備が完了したと判別する。なお、ユーザは、負荷装置２００に代えて第２通信装置１５０を、電気機器３１０に接続した後、第２チェックの準備が完了した旨の操作を実行する。制御部１１は、第２チェックの準備が完了していないと判別すると（ステップＳ１０６：ＮＯ）、ステップＳ１０６に処理を戻す。
【００８１】
制御部１１は、ステップＳ１０６の処理を完了すると、測定開始信号を送信する（ステップＳ１０７）。例えば、制御部１１は、通信部１３を制御して、測定開始信号を、第２通信装置１５０に送信するとともに、計測部１２に、第２時系列データの取得の開始を指示する。一方、第２通信装置１５０は、測定開始信号を受信したことに応答して、第３時系列データの取得を開始する。
【００８２】
制御部１１は、ステップＳ１０７の処理を完了すると、第２時系列データを取得する（ステップＳ１０８）。例えば、制御部１１は、計測部１２から第２時系列データを取得する。
【００８３】
制御部１１は、ステップＳ１０８の処理を完了すると、第３時系列データを取得する（ステップＳ１０９）。例えば、制御部１１は、通信部１３が第２通信装置１５０から受信した第３時系列データを取得する。
【００８４】
制御部１１は、ステップＳ１０９の処理を完了すると、相関値が閾値以上であるか否かを判別する（ステップＳ１１０）。例えば、制御部１１は、第２時系列データと第３時系列データとの時間軸をずらしながら相関値を求め、閾値以上となる相関値があるか否かを判別する。
【００８５】
制御部１１は、相関値が閾値以上であると判別すると（ステップＳ１１０：ＹＥＳ）、他の電気機器が接続されていない旨を表示する（ステップＳ１１１）。例えば、制御部１１は、表示部１５を制御して、分岐ブレーカ４１０には、電気機器３１０以外の電気機器が接続されていない旨を表示する。制御部１１は、ステップＳ１１１の処理を完了すると、接続関係判別処理を完了する。
【００８６】
一方、制御部１１は、相関値が閾値以上でないと判別すると（ステップＳ１１０：ＮＯ）、他の電気機器が接続されている旨を表示する（ステップＳ１１２）。例えば、制御部１１は、表示部１５を制御して、分岐ブレーカ４１０には、電気機器３１０以外の電気機器が接続されている旨を表示する。制御部１１は、ステップＳ１１２の処理を完了すると、接続機器追跡処理を実行する。以下、図１１を参照して、接続機器追跡処理について詳細に説明する。
【００８７】
まず、制御部１１は、第３チェックの準備が完了したか否かを判別する（ステップＳ２０１）。第３チェックは、メンテナンス対象の電気機器に接続されている分岐ブレーカに接続されていると予測される電気機器が、実際に、この分岐ブレーカに接続されているか否かのチェックである。制御部１１は、例えば、表示部１５がタッチスクリーンである場合、このタッチスクリーンに、第３チェックの準備が完了した旨の操作が受け付けられたことを判別した場合、第３チェックの準備が完了したと判別する。なお、ユーザは、電気機器３１０から第２通信装置１５０を外し、負荷装置２００を電気機器３２０と並列に接続した後、第３チェックの準備が完了した旨の操作を実行する。制御部１１は、第３チェックの準備が完了していないと判別すると（ステップＳ２０１：ＮＯ）、ステップＳ２０１に処理を戻す。
【００８８】
一方、制御部１１は、第３チェックの準備が完了したと判別すると（ステップＳ２０１：ＹＥＳ）、第４時系列データを取得する（ステップＳ２０２）。例えば、制御部１１は、計測部１２を制御して、第４時系列データを取得する。
【００８９】
制御部１１は、ステップＳ２０２の処理を完了すると、第４時系列データに予め定められた電流パターンが包含されているか否かを判別する（ステップＳ２０３）。例えば、制御部１１は、負荷装置２００の電流パターンを示す時系列データと、第４時系列データとの相関値が、閾値以上であるか否かを判別する。
【００９０】
制御部１１は、第４時系列データに予め定められた電流パターンが包含されていないと判別すると（ステップＳ２０３：ＮＯ）、第２電気機器の選択が誤りである旨を表示する（ステップＳ２０４）。例えば、制御部１１は、表示部１５を制御して、第２電気機器の選択が誤りである旨を表示する。制御部１１は、ステップＳ２０４の処理を完了すると、ステップＳ２０１に処理を戻す。なお、ユーザは、第２電気機器の選択が誤りである旨を確認した場合、分岐ブレーカ４１０に接続する第２電気機器を変更する。
【００９１】
一方、制御部１１は、第４時系列データに予め定められた電流パターンが包含されていると判別すると（ステップＳ２０３：ＹＥＳ）、第２電気機器の選択が正しい旨を表示する（ステップＳ２０５）。例えば、制御部１１は、表示部１５を制御して、第２電気機器の選択が正しい旨を表示する。なお、ユーザは、第２電気機器の選択が正しい旨を確認した場合、負荷装置２００に代えて第２通信装置１５０を電気機器３２０に接続する。また、ユーザは、別の第２通信装置１５０を電気機器３１０にも接続する。
【００９２】
制御部１１は、ステップＳ２０５の処理を完了すると、第４チェックの準備が完了したか否かを判別する（ステップＳ２０６）。第４チェックは、メンテナンス対象の電気機器が接続されている分岐ブレーカにさらに他の電気機器が接続されているか否かのチェックである。制御部１１は、例えば、表示部１５がタッチスクリーンである場合、このタッチスクリーンに、第４チェックの準備が完了した旨の操作が受け付けられたことを判別した場合、第４チェックの準備が完了したと判別する。なお、ユーザは、負荷装置２００に代えて第２通信装置１５０を電気機器３１０に接続し、別の第２通信装置１５０を電気機器３１０にも接続した後、第４チェックの準備が完了した旨の操作を実行する。制御部１１は、第４チェックの準備が完了していないと判別すると（ステップＳ２０６：ＮＯ）、ステップＳ２０６に処理を戻す。
【００９３】
制御部１１は、ステップＳ２０６の処理を完了すると、測定開始信号を送信する（ステップＳ２０７）。例えば、制御部１１は、通信部１３を制御して、測定開始信号を、第２通信装置１５０と別の第２通信装置１５０に送信するとともに、計測部１２に、第５時系列データの取得の開始を指示する。一方、第２通信装置１５０は、測定開始信号を受信したことに応答して、第６時系列データの取得を開始する。また、別の第２通信装置１５０は、測定開始信号を受信したことに応答して、第７時系列データの取得を開始する。
【００９４】
制御部１１は、ステップＳ２０７の処理を完了すると、第５時系列データを取得する（ステップＳ２０８）。例えば、制御部１１は、計測部１２から第５時系列データを取得する。
【００９５】
制御部１１は、ステップＳ２０８の処理を完了すると、第６時系列データを取得する（ステップＳ２０９）。例えば、制御部１１は、通信部１３が第２通信装置１５０から受信した第６時系列データを取得する。
【００９６】
制御部１１は、ステップＳ２０９の処理を完了すると、第７時系列データを取得する（ステップＳ２１０）。例えば、制御部１１は、通信部１３が別の第２通信装置１５０から受信した第７時系列データを取得する。
【００９７】
制御部１１は、ステップＳ２１０の処理を完了すると、相関値が閾値以上であるか否かを判別する（ステップＳ２１１）。例えば、制御部１１は、第５時系列データと第６時系列データとの時間軸を合わせ、第５時系列データと第７時系列データとの時間軸を合わせる。そして、制御部１１は、第６時系列データと第７時系列データとの和の時系列データと、第５時系列データとの相関値を求め、閾値以上となる相関値があるか否かを判別する。
【００９８】
制御部１１は、相関値が閾値以上であると判別すると（ステップＳ２１１：ＹＥＳ）、他の電気機器が接続されていない旨を表示する（ステップＳ２１２）。例えば、制御部１１は、表示部１５を制御して、分岐ブレーカ４１０には、電気機器３１０と電気機器３２０以外の電気機器が接続されていない旨を表示する。制御部１１は、ステップＳ２１２の処理を完了すると、接続機器追跡処理を完了する。
【００９９】
一方、制御部１１は、相関値が閾値以上でないと判別すると（ステップＳ２１１：ＮＯ）、他の電気機器が接続されている旨を表示する（ステップＳ２１３）。例えば、制御部１１は、表示部１５を制御して、分岐ブレーカ４１０には、電気機器３１０と電気機器３２０以外の電気機器が接続されている旨を表示する。
【０１００】
制御部１１は、ステップＳ２１３の処理を完了すると、接続機器再追跡処理を実行する（ステップＳ２１４）。なお、接続機器再追跡処理は、分岐ブレーカ４１０に接続されていることが確定した電気機器が増えることを除き、基本的な処理内容は、接続機器追跡処理と同様である。そして、制御部１１は、接続機器再追跡処理において、分岐ブレーカ４１０に接続されている全ての電気機器を特定すると、接続機器再追跡処理を完了する。制御部１１は、ステップＳ２１４の処理を完了すると、接続機器追跡処理を完了する。制御部１１は、接続機器追跡処理を完了すると、接続関係判別処理を完了する。
【０１０１】
以上説明したように、本実施形態では、負荷装置が第１電気機器と並列に第１電線に接続されている第１期間において第１分岐ブレーカに流れる電流に基づいて、第１電気機器が第１分岐ブレーカに接続されているか否かが判別され、第１電気機器が第１分岐ブレーカに接続されていると判別された場合、第２期間において第１分岐ブレーカに流れる電流と、第２期間と重複する第３期間において第１電気機器に交流電力を供給する第１電線に流れる電流とに基づいて、第１分岐ブレーカに第１電気機器以外の電気機器が接続されているか否かが判別される。このように、本実施形態では、第１電気機器に第１分岐ブレーカが接続されているか否かを判別するだけでなく、第１電気機器に第１分岐ブレーカが接続されている場合に、さらに第１分岐ブレーカに第１電気機器以外の電気機器が接続されているか否かも判別することができる。従って、本実施形態によれば、効率的に接続関係を追跡することができ、電気機器と分岐ブレーカとの接続関係の判別における利便性の向上が期待できる。
【０１０２】
また、本実施形態では、第１電気機器以外の電気機器が第１分岐ブレーカに接続されていると判別された場合、負荷装置が第２電気機器と並列にされた第４期間において第１分岐ブレーカに流れる電流に基づいて、第２電気機器が第１分岐ブレーカに接続されているか否かがさらに判別される。従って、本実施形態によれば、電気機器と分岐ブレーカとの接続関係の判別における利便性の向上がさらに期待できる。
【０１０３】
また、本実施形態では、第２電気機器が第１分岐ブレーカに接続されていると判別された場合、第１分岐ブレーカに第１電気機器と第２電気機器以外の電気機器が接続されているか否かがさらに判別される。従って、本実施形態によれば、電気機器と分岐ブレーカとの接続関係の判別における利便性の向上がさらに期待できる。
【０１０４】
また、本実施形態では、第１電線を介して通信する第１通信装置と第２通信装置とがそれぞれ異なる部分の時系列データを取得し、いずれか一方の装置が、判別処理を実行する。従って、本実施形態によれば、電気機器と分岐ブレーカとの接続関係の判別における利便性の向上がさらに期待できる。
【０１０５】
また、本実施形態では、第１通信装置と第２通信装置とは、時系列データを取得する間、自立運転する。従って、本実施形態によれば、正確に、電気機器と分岐ブレーカとの接続関係を判別することができる。
【０１０６】
（変形例）
以上、本発明の実施形態を説明したが、本発明を実施するにあたっては、種々の形態による変形及び応用が可能である。
【０１０７】
本発明において、上記実施形態において説明した構成、機能、動作のどの部分を採用するのかは任意である。また、本発明において、上述した構成、機能、動作のほか、更なる構成、機能、動作が採用されてもよい。
【０１０８】
例えば、上記実施形態では、第１通信装置１００がマスタ装置であり、第２通信装置１５０がスレーブ装置である例について説明した。本発明において、第１通信装置１００がスレーブ装置であり、第２通信装置１５０がマスタ装置であってもよい。なお、マスタ装置は、例えば、時系列データをスレーブ装置から受信し、判別処理や判別結果の表示処理を実行する装置である。一方、スレーブ装置は、例えば、時系列データをマスタ装置に送信し、判別処理や判別結果の表示処理を実行しない装置である。
【０１０９】
上記実施形態では、マスタ装置が判別結果を表示する例について説明した。本発明において、マスタ装置は、判別結果を示す音声を出力してもよいし、判別結果を示す情報を、他の装置に送信してもよい。この場合、マスタ装置は、スピーカや他の装置と通信するための通信装置を備える。
【０１１０】
本発明に係る第１通信装置１００や第２通信装置１５０の動作を規定する動作プログラムを既存のパーソナルコンピュータや情報端末装置に適用することで、当該パーソナルコンピュータ等を本発明に係る第１通信装置１００や第２通信装置１５０として機能させることも可能である。
【０１１１】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１１２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１１３】
本発明は、複数の分岐ブレーカと複数の電気機器との接続関係を判別する接続関係判別システムに適用可能である。
【符号の説明】
【０１１４】
Ｌ０、Ｌ１、Ｌ１１、Ｌ１２、Ｌ１３、Ｎ０、Ｎ１、Ｎ１１、Ｎ１２、Ｎ１３  電線、１１、２１  制御部、１２、２２  計測部、１３、２３  通信部、１４、２４  電源部、１５  表示部、１６、２６  電流センサ、１００  第１通信装置、１０１、２００  負荷装置、１０２  第１電流値測定部、１０３  第１時系列データ取得部、１０４  第１判別部、１０５  第２時系列データ取得部、１０６  第２電流値測定部、１０７  第３時系列データ取得部、１０８  第２判別部、１５０  第２通信装置、２０１、２０２  抵抗器、２０３、２０７、２０８、２０９  スイッチ、２０４、２０５  ＩＧＢＴ、２０６  マイコン、２１０  分圧回路、２１１  ゼロクロス検出回路、２１２  電源回路、２１３  トランス、３１０、３２０、３３０  電気機器、４００  主幹ブレーカ、４１０、４２０  分岐ブレーカ、１０００  接続関係判別システム、２０００  電力消費システム、２１００  分電盤、３０００  商用電源
【図１】
2016075492.tif 000003
【図２】
2016075492.tif 000004
【図３】
2016075492.tif 000005
【図４】
2016075492.tif 000006
【図５】
2016075492.tif 000007
【図６】
2016075492.tif 000008
【図７】
2016075492.tif 000009
【図８】
2016075492.tif 000010
【図９】
2016075492.tif 000011
【図１０】
2016075492.tif 000012
【図１１】
2016075492.tif 000013